(57)【要約】【課題】本発明は、データ放送環境の悪化による影響を受けにくく、データ放送の伝送帯域における余剰帯域を用いて送信ファイルを送受信でき、簡易な構成のデータ放送送信装置を提供する。【解決手段】データ放送送信装置１は、音声信号を予め設定された符号化レートで符号化して送信ファイルを順次生成する送信ファイル符号化手段１１と、記憶手段１２と、順次生成した送信ファイルからデータ放送として送受信可能なデータ放送信号を生成するデータ放送信号生成手段１３と、伝送レートを符号化レートで除算した値に基づいて、送信回数を算出する送信回数算出手段１４と、データ放送信号を、送信回数算出手段１４が算出した送信回数ずつ順に、送信回数算出手段１４から入力された伝送レートで送信する送信制御手段１５とを備える。【選択図】図１
2010141624.tif 000002
【特許請求の範囲】
【請求項１】
データ放送の伝送帯域における余剰帯域を用いて、送信ファイルをデータ放送受信装置に送信するデータ放送送信装置であって、
前記データ放送において視聴可能な時系列信号を予め設定された符号化レートで符号化して、前記送信ファイルを順次生成する送信ファイル符号化手段と、
前記送信ファイル符号化手段が順次生成した送信ファイルから前記データ放送として送受信可能なデータ放送信号を生成するデータ放送信号生成手段と、
前記余剰帯域を用いて、前記データ放送信号生成手段が生成したデータ放送信号を、所定の送信回数ずつ順に、前記符号化レートの２倍以上に予め設定した伝送レートで送信する送信制御手段と、
を備えることを特徴とするデータ放送送信装置。
【請求項２】
前記送信ファイル符号化手段は、任意のサイズで、複数の前記送信ファイルを順次生成することを特徴とする請求項１に記載のデータ放送送信装置。
【請求項３】
前記伝送レートを前記符号化レートで除算した値に基づいて、前記送信回数を算出する送信回数算出手段、をさらに備え、
前記送信制御手段は、前記送信回数算出手段が算出した送信回数ずつ順に、前記データ放送信号を送信することを特徴とする請求項１又は請求項２に記載のデータ放送送信装置。
【請求項４】
前記データ放送信号生成手段は、順次生成した前記送信ファイルに含まれる前記時系列信号を前記データ放送受信装置に再生させる命令を含む前記データ放送信号を、生成することを特徴とする請求項１から請求項３の何れか一項に記載のデータ放送送信装置。
【発明の詳細な説明】
【技術分野】
【０００１】
本発明は、データ放送の伝送帯域における余剰帯域を用いて、送信ファイルを送信するデータ放送送信装置に関する。
【背景技術】
【０００２】
従来から、画面上に文字情報をテロップ表示し、ニュース速報等の情報を、一刻も早く視聴者に伝える発明が提案されている（例えば、特許文献１参照）。しかし、このテロップ表示による文字情報では、視覚障害者が、その内容を知ることができない。そのため、多くの視覚障害者から、ニュース速報の文字情報を読み上げて音声で伝えて欲しいとの強い要望がある。
【０００３】
ニュース速報の文字情報から音声合成によって自動的に読み上げ音声を生成してアナログ放送する場合、番組主音声がステレオもしくは二カ国語放送のときには、読み上げ音声を放送する音声チャンネルが足りず、実現できない。一方、デジタル放送では、音声チャンネルが、放送規格上、４ＥＳ（Ｅｌｅｍｅｎｔａｒｙ  Ｓｔｒｅａｍ）分あるため、より多くの種類の音声モードを送ることが可能である。また、ＢＭＬ（Ｂｒｏａｄｃａｓｔ  Ｍａｒｋｕｐ  Ｌａｎｇｕａｇｅ）による制御を使えば、自動的に音声チャンネルの切り替えが可能であり、文字情報の読み上げサービスのＯＮ／ＯＦＦが可能であることから、視覚障害者と健常者との両方を対象にしたサービスが実現可能である。しかし、音声ＥＳによる伝送の場合では、送信装置の大幅な改修が必要な場合もあり、莫大なコストがかかる可能性がある。
また、例えば、音声信号を音声ファイル化してデータ放送で送る方法もある。このように、データ放送で送る場合には送信装置の改修がほとんど必要なく、コストは殆どかからない。
【０００４】
そこで、視覚障害者の要望に応えるために、現行のデジタル放送規格内で実現可能な手法として、読み上げ合成音声を自動的に生成し、データ放送の音声ファイルとして伝送することが考えられる。この場合、ＢＭＬに音声ファイルの再生命令を記述することで、デジタル放送テレビの音声を制御すれば、視聴者が何も操作をしなくても自動的に読み上げ音声を聞くことができ、ニュース速報が終了すると、また元の主音声に戻るように制御することが可能である。
【特許文献１】特開２００６−２４５６５２号公報
【発明の開示】
【発明が解決しようとする課題】
【０００５】
しかし、データ放送の伝送帯域幅は、放送中のデータ放送コンテンツでほぼ占有され、ほとんど新たな音声ファイルや映像ファイルを伝送できる余裕がないのが現状である。また、音声や映像ファイルを伝送する場合、再生時間が長くなるとファイルサイズも比例して大きくなるため、音声ファイルでは効果音程度のファイルサイズの小さいものでなければ現実的には伝送することができない。例えば、６４Ｋｂｐｓの品質の音声レート（符号化レート）で符号化された３分間の音声が収録されていた場合、そのファイルサイズは、約１．４４ＭＢｙｔｅになる。仮に、これを８秒周期のデータカルーセルで伝送した場合、１．４４Ｍｂｐｓもの伝送レートが必要となり、現在放送中のコンテンツをすべて中止する必要がある。
【０００６】
また、別音声ＥＳで読み上げ音声を送信する場合では、送出設備がデジタル放送規格をすべて満足している必要があり、実際には、４ＥＳ全て使用するような放送サービスが行われていない。このため、送信装置を少しでも廉価に整備するため、最大音声ＥＳの数が少ない場合も多々ある。さらに、新たに読み上げ音声サービスを実施するための音声モードを追加するためには、送信設備の改修に莫大な費用が必要となる。
【０００７】
そこで、本発明は、データ放送環境の悪化による影響を受けにくく、データ放送の伝送帯域における余剰帯域を用いて送信ファイルを送受信でき、簡易な構成のデータ放送送信装置を提供することを目的とする。
【課題を解決するための手段】
【０００８】
前記した課題を解決するため、請求項１に係るデータ放送送信装置は、データ放送の伝送帯域における余剰帯域を用いて、送信ファイルをデータ放送受信装置に送信するデータ放送送信装置であって、送信ファイル符号化手段と、データ放送信号生成手段と、送信制御手段とを備える構成とした。
【０００９】
かかる構成によれば、データ放送送信装置は、送信ファイル符号化手段によって、データ放送において視聴可能な時系列信号を予め設定された符号化レートで符号化して、送信ファイルを順次生成する。また、データ放送送信装置は、データ放送信号生成手段によって、送信ファイル符号化手段が順次生成した送信ファイルからデータ放送として送受信可能なデータ放送信号を生成する。さらに、データ放送送信装置は、送信制御手段によって、余剰帯域を用いて、データ放送信号生成手段が生成したデータ放送信号を、所定の送信回数ずつ順に、符号化レートの２倍以上に予め設定した伝送レートで送信する。
【００１０】
ここで、伝送レートが符号化レートの２倍以上であることから、送信ファイルの伝送時間と送信ファイルの再生時間との間にレート差が生じる。そこで、ある程度のサイズの送信ファイルであっても、例えば、送信ファイルが適当なサイズで予め順次生成されていたとすると、送信ファイルを順番に送信すれば、このレート差から、データ放送受信装置において、受信した送信ファイルの再生中に、次の送信ファイルを必ず受信でき、順次生成した送信ファイルを途切れることなく連続再生することが可能である。つまり、データ放送送信装置は、データ放送の伝送帯域における余剰帯域を用いて、擬似的にストリーミング方式を実現していることになる。
【００１１】
また、データ放送送信装置は、気象条件等のデータ放送環境が悪化し、順次生成した送信ファイルの一部が受信できなかった場合でも、所定の送信回数、同一の送信ファイルを送信し、送信ファイルが途切れる事態を防止する。つまり、データ放送送信装置は、データ放送の伝送帯域における余剰帯域を用いて、擬似的にカルーセル方式をも実現していることになる。なお、余剰帯域とは、データ放送可能な伝送帯域のうち、他のデータ放送コンテンツの伝送に使用しておらず、他のコンテンツの伝送レートを一時的に下げて確保することが可能な伝送帯域である。
【００１２】
請求項２に係るデータ放送送信装置は、請求項１に記載のデータ放送送信装置において、前記送信ファイル符号化手段は、任意のサイズで、複数の前記送信ファイルを順次生成することを特徴とする。かかる構成によれば、データ放送送信装置は、送信ファイルのサイズが大きいために、この送信ファイルをそのまま余剰帯域で送信することが難しい場合でも、送信ファイルを順次生成し、適切な送信回数で送信することで、サイズが大きい送信ファイルを送信できる。なお、個々の送信ファイルのサイズは、特に制限されず、現実的に扱いやすいサイズ（処理単位）で順次生成すれば良く、これらを異なるサイズにしても良く、これらを同一サイズにしても良い。例えば、速報テロップの場合、画面表示の２行分で１つの送信ファイルとなるサイズ（処理単位）でこの送信ファイルを生成すると、個々の送信ファイルのサイズが３２Ｋｂｙｔｅ程度となり、個々の送信ファイルのサイズの変化が少なくなる。
【００１３】
請求項３に係るデータ放送送信装置は、請求項１又は請求項２に記載のデータ放送送信装置において、前記伝送レートを前記符号化レートで除算した値に基づいて、前記送信回数を算出する送信回数算出手段、をさらに備え、前記送信制御手段は、前記送信回数算出手段が算出した送信回数ずつ順に、前記データ放送信号を送信することを特徴とする。かかる構成によれば、データ放送送信装置は、適切な値の送信回数を人手によらずに算出することができる。
【００１４】
請求項４に係るデータ放送送信装置は、請求項１から請求項３の何れか一項に記載のデータ放送送信装置において、前記データ放送信号生成手段は、順次生成した前記送信ファイルに含まれる前記時系列信号を前記データ放送受信装置に再生させる命令を含む前記データ放送信号を、生成することを特徴とする。かかる構成によれば、データ放送送信装置は、データ放送受信装置が送信ファイルを受信したときに、この送信ファイルに含まれる時系列信号を再生させることができる。
【発明の効果】
【００１５】
本発明によれば、以下のような優れた効果を奏する。
請求項１に係る発明によれば、データ放送の伝送帯域における余剰帯域を用いて、擬似的にストリーミング方式とデータカルーセル方式とを実現して送信ファイルを送信できるため、データ放送送信装置の構成を簡易にすることができ、データ放送環境の悪化の影響を受けにくくできる。
【００１６】
請求項２に係る発明によれば、送信ファイルのサイズが大きいために、この送信ファイルをそのまま余剰帯域で送信することが難しい場合でも、個々に送信ファイルを順次生成し、適切な送信回数で送信することで、サイズが大きい送信ファイルを送信できる。
【００１７】
請求項３に係る発明によれば、適切な値の送信回数を人手によらずに算出することができるため、送信ファイルの伝送効率を高くすることができ、利便性を良くすることができる。
【００１８】
請求項４に係る発明によれば、追加設備をデータ放送受信装置に設けることなく、データ放送受信装置が送信ファイルを受信したときに、この送信ファイルに含まれる時系列信号を人手によらずに再生できる。
【発明を実施するための最良の形態】
【００１９】
以下、本発明の実施形態について、適宜図面を参照しながら詳細に説明する。なお、各実施形態において、同一の機能を有する手段及び同一の部材には同一の符号を付し、説明を省略した。
【００２０】
［データ放送送信装置の構成］
図１を参照して、本発明の本実施形態に係るデータ放送送信装置の構成について説明する。図１は、本発明の本実施形態に係るデータ放送送信装置のブロック図である。図１に示すように、データ放送送信装置１は、データ放送の伝送帯域における余剰帯域を用いて、送信ファイルをデータ放送受信装置（不図示）に送信するものであって、送信ファイル符号化手段１１と、記憶手段１２と、データ放送信号生成手段１３と、送信回数算出手段１４と、送信制御手段１５とを備える。
【００２１】
送信ファイル符号化手段１１は、データ放送において視聴される時系列信号（例えば、音声信号）を、予め設定された符号化レートで符号化して送信ファイルを順次生成するものである。このとき、送信ファイル符号化手段１１は、任意のサイズで、複数の送信ファイルを順次生成しても良い。ここで、送信ファイル符号化手段１１は、例えば、時系列信号を、ＡＡＣ（Ａｄｖａｎｃｅｄ  Ａｕｄｉｏ  Ｃｏｄｉｎｇ）の形式で符号化し、記憶手段１２に一時的に記憶しておく。符号化レートは、送信ファイルをデータ放送受信装置で再生する場合に要する時間を決定するものであり、例えば、３２Ｋｂｐｓの符号化品質で３２Ｋｂｉｔの送信ファイルの再生には、１秒要することを示す。なお、この符号化レートは、後記する記憶手段１２に予め記憶しておく。
【００２２】
送信ファイル符号化手段１１は、送信ファイルのそれぞれのサイズが等しくなるように送信ファイルを順次生成しても良く、送信ファイルのそれぞれのサイズが異なるように送信ファイルを順次生成しても良い。また、例えば、送信ファイル符号化手段１１は、時系列信号が音声信号の場合、文章の句読点を区切りとして送信ファイルを生成し、時系列のデータが速報テロップの場合、同一画面上に表示される文章（例えば、２行）を処理単位としても良い。
【００２３】
送信ファイルは、データ放送において視聴可能な時系列信号を符号化したものである。この時系列信号としては、例えば、ニュース速報又は緊急気象情報の内容を示す音声信号、動画像を撮影した映像信号、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）等の信号がある。なお、本実施形態では、時系列信号として音声信号を図示して説明するが、これに限定されないことは言うまでもない。
【００２４】
記憶手段１２は、符号化レート、伝送レート、後記するＢＭＬ記述プログラム及び送信ファイルを記憶するＨＤＤ（Ｈａｒｄ  Ｄｉｓｋ  Ｄｒｉｖｅ）等の記憶装置である。伝送レートは、データ放送の伝送容量を表すものであり、例えば、１５０Ｋｂｐｓの帯域幅で１５０Ｋｂｉｔの送信ファイルを伝送するのに１秒要することを示す。なお、後記する理由により、伝送レートは、符号化レートの２倍以上の値で記憶手段１２に予め記憶しておく。
【００２５】
データ放送信号生成手段１３は、送信ファイル符号化手段１１が順次生成した送信ファイルからデータ放送として送受信可能なデータ放送信号を生成するものである。ここで、データ放送信号生成手段１３は、送信ファイルが何番目に生成されたかを示すシーケンシャル番号を、データ放送信号に付加しても良い。
【００２６】
次に、データ放送信号生成手段１３は、例えば、順次生成した送信ファイルのモジュールと、ＢＭＬ形式のモジュールとを多重してデータ放送信号を生成する。このとき、データ放送信号生成手段１３は、データ放送信号に、順次生成した送信ファイルに含まれる時系列信号をデータ放送受信装置に再生させる命令を含めることが好ましい。例えば、シーケンシャル番号の順に順次生成した送信ファイルに含まれる時系列信号を再生させる命令を、ＢＭＬ関数、ＥＣＭＡＳｃｒｉｐｔ等のスクリプト言語で記述したＢＭＬ記述プログラムとして予め記憶手段１２に記憶しておく。そして、データ放送信号生成手段１３は、このＢＭＬ記述プログラムをＢＭＬのモジュールに埋め込んだデータ放送信号を生成する。
【００２７】
送信回数算出手段１４は、記憶手段１２に記憶された伝送レートと符号化レートとを参照し、伝送レートを符号化レートで除算した値に基づいて、送信回数を算出するものである。例えば、伝送レートが１５０Ｋｂｐｓで符号化レートが３２Ｋｂｐｓの場合、送信回数算出手段１４は、１５０を３２で除算して小数点以下を切り捨てした値を送信回数として算出する。
【００２８】
なお、人手によって送信回数を算出しておき、この送信回数を予め記憶手段１２に設定しておくことも可能である。この場合、データ放送送信装置１は、送信回数算出手段１４を備える必要がなくなり、構成がより簡易になる。
【００２９】
送信制御手段１５は、余剰帯域を用いて、データ放送信号生成手段１３が生成したデータ放送信号を、送信回数算出手段１４が算出した送信回数ずつ順に、送信回数算出手段１４から入力された伝送レートで送信するものである。なお、データ放送送信装置１は、データ放送を送信するためのアンテナ（不図示）を備えても良い。
【００３０】
＜送信ファイルの送受信＞
以下、図２を参照し、本発明における送信ファイルの送受信について説明する（適宜図１参照）。図２は、本発明における送信ファイルの送受信を説明する図である。図２では、縦軸が送信ファイルのサイズであり、横軸が時間である。また、図２では、伝送レートの斜線は、送信ファイルのサイズと時間との関係、つまり、データ放送受信装置（不図示）が受信できる送信ファイルのサイズと時間との関係を示す。また、図２では、２本の符号化レートの斜線はそれぞれ、データ放送受信装置が再生できる送信ファイルのサイズと時間との関係を示す。
【００３１】
なお、図２の例では、データ放送送信装置１は、１個目に生成した送信ファイルのサイズが３２Ｋｂｙｔｅ、２個目に生成した送信ファイルのサイズが１８Ｋｂｙｔｅ、及び、３個目に生成した送信ファイルのサイズが２４Ｋｂｙｔｅとなるように、３個の送信ファイルを順次生成している。ここで、例えば、時系列信号が速報テロップの場合、テレビ画面上では２行単位で文章が生成されるため、データ放送送信装置１は、音声合成された送信ファイルも２行単位で順番に生成する。また、図２では、説明のために、送信回数を３回としているが、データ放送送信装置１は、送信回数算出手段１４によって求めた送信回数（例えば、４回）、順番に生成したうちの同一の送信ファイルを送信しても良い。
【００３２】
例えば、送信ファイルの伝送レートが１５０Ｋｂｐｓであり、送信ファイルの符号化レートが３２Ｋｂｐｓであるとする。このとき、図２に示すように、１５０：３２のレート差から、送信ファイルの伝送時間と送信ファイルの再生時間の間に差が生じる。そこで、本発明のように、連続して送信する送信ファイルの合計サイズが数ＭＢｙｔｅになる場合や各送信ファイルのサイズが数百ＫＢｙｔｅになる場合、このような送信ファイルを連続して送信する場合、レート差から、現在の送信ファイルに含まれる時系列信号の再生中に、次ぎに送信する送信ファイルの伝送が必ず終了することになる。例えば、図２の例では、符号化レート１の斜線が示す１個目に送信された送信ファイルの再生終了時に、伝送レートの斜線が示す２個目に送信された送信ファイルの伝送が終了している（図２のｔ１参照）。このように、データ放送送信装置１は、順次生成した送信ファイルを途切れることなく連続再生させることが可能であり、擬似的にストリーミング方式を実現していることになる。
【００３３】
ここで、気象条件等のデータ放送環境が悪化し、順次生成した送信ファイルの一部が受信できなかった場合、データ放送受信装置では、送信ファイルが途切れてしまうことが考えられる。そこで、データ放送送信装置１は、図２の例では、１５０：３２のレート差から、次の送信ファイルに含まれる時系列信号の再生が終了するまでに、同一の送信ファイルを所定の送信回数（図２では、３回）送信し、データ放送受信装置で送信ファイルが途切れる事態を防止する。これによって、データ放送受信装置において、３回送信された送信ファイルのうちの１回でも受信できれば、送信ファイルに含まれる時系列信号を再生することができる。このように、データ放送送信装置１は、データ放送の伝送帯域における余剰帯域を用いて、擬似的にデータカルーセル方式をも実現していることになる。
【００３４】
なお、図２の符号化レート２の斜線に示すように、送信ファイルの伝送中に途中でチャンネルを合わせた場合やデータ放送受信装置の電源を投入した場合、順次生成した送信フィルに含まれる時系列信号の途中から再生されることになる。ここで、データ放送受信装置では、同一の送信ファイルを１回でも受信できれば、その受信中の送信ファイルから再生することができるため、再生する時系列信号が途切れることを最小限に抑えている。しかし、放送では、チャンネルを合わせる前の番組を視聴することはできないので、全ての時系列信号を再生できなくても問題はないと考えられる。
【００３５】
［データ放送送信装置の動作］
以下、図３を参照し、図１のデータ放送送信装置の動作について説明する（適宜図１参照）。図３は、図１のデータ放送送信装置の動作を示すフローチャートである。
【００３６】
データ放送送信装置１は、送信ファイル符号化手段１１によって、時系列信号を予め設定された符号化レートで符号化して、送信ファイルを順次生成する（ステップＳ１）。このときデータ放送送信装置１は、送信ファイル符号化手段１１によって、任意のサイズで、複数の送信ファイルを順次生成しても良い。
【００３７】
ステップＳ１の処理に続いて、データ放送送信装置１は、データ放送信号生成手段１３によって、順次生成した送信ファイルからデータ放送として送受信可能なデータ放送信号を生成する（ステップＳ２）。また、データ放送送信装置１は、送信回数算出手段１４によって、伝送レートを符号化レートで除算した値に基づいて、送信回数を算出する（ステップＳ３）。また、データ放送送信装置１は、送信制御手段１５によって、余剰帯域を用いて、データ放送信号生成手段１３が生成したデータ放送信号を、送信回数算出手段１４が算出した送信回数ずつ順に送信する（ステップＳ４）。
【００３８】
［データ放送受信装置の構成］
以下、図４を参照して、本実施形態に係るデータ放送受信装置の構成について説明する。図４は、本実施形態に係るデータ放送受信装置のブロック図である。図４に示すように、データ放送受信装置２は、データ放送の伝送帯域における余剰帯域を用いて、送信ファイルをデータ放送送信装置（図１参照）から受信するものであり、データ放送受信手段２１と、記憶手段２２と、送信ファイル復号・再生手段（送信ファイル再生手段）２３とを備える。
【００３９】
データ放送受信手段２１は、順次生成した送信ファイルと、この送信ファイルに含まれる時系列信号（例えば、音声信号）を再生させる命令とを含むデータ放送信号を受信すると共に、このデータ放送信号から順次生成した送信ファイルと命令とを分離するものである。データ放送受信手段２１は、例えば、順次生成した送信データと命令（ＢＭＬ記述プログラム）とを分離して、記憶手段２２に一時的に記憶させる。
【００４０】
記憶手段２２は、図１の記憶手段２１と同様の、順次生成した送信ファイル及びＢＭＬ記述プログラムを記憶するＨＤＤ、メモリ等の記憶装置である。
【００４１】
送信ファイル復号・再生手段２３は、データ放送受信手段２１が分離して記憶手段２２に一時的に記憶させた命令に基づいて、送信ファイルの伝送レートの半分以下の符号化レートで、順次生成した送信ファイルに含まれる時系列信号を順に再生する。送信ファイル復号・再生手段２３は、例えば、順次生成した送信ファイルにシーケンシャル番号が付加されているため、このシーケンシャル番号の順にＢＭＬ記述プログラムに基づいて、順次生成した送信ファイルに含まれる時系列信号を再生することができる。
【００４２】
［データ放送受信装置の動作］
以下、図５を参照し、図２のデータ放送受信装置の動作について説明する（適宜図４参照）。図５は、図４のデータ放送受信装置の動作を示すフローチャートである。
【００４３】
データ放送受信装置２は、データ放送受信手段２１によって、順次生成した送信ファイルと、この送信ファイルに含まれる時系列信号を再生させる命令とを含むデータ放送信号を受信する（ステップＳ１１）。また、データ放送受信装置２は、データ放送受信手段２１によって、このデータ放送信号から送信ファイルと命令とを分離する（ステップ１２）。また、データ放送受信装置２は、送信ファイル復号・再生手段２３によって、データ放送受信手段２１が分離した命令に基づいて、送信ファイルの伝送レートの半分以下の符号化レートで、順次生成した送信ファイルを順に再生する（ステップＳ１３）。
【００４４】
以上説明したように、本実施形態に係るデータ放送送信装置１及びデータ放送受信装置２によれば、放送中のデータ放送コンテンツを中止することなく、残りのわずかなデータ放送の伝送帯域における余剰帯域を用いて、サイズの大きな送信ファイルや再生時間が不確定な場合でも伝送することができる。
【００４５】
例えば、従来のように、帯域幅を設定し、データカルーセル方式によって、データ放送で送信ファイルを繰り返し送信する場合、カルーセル周期及び帯域幅から伝送可能な送信ファイルのサイズに制限が生じ、長い再生時間の送信ファイルは送信することができない。一方、本実施形態に係るデータ放送送信装置１及びデータ放送受信装置２では、前記したデータカルーセル方式の問題は、発生しない。
【実施例】
【００４６】
以下、図６を参照し、本発明の実施例について説明する（適宜図１，図４参照）。図６は、本発明の実施例を説明する概略図である。なお、図６では、視覚障害者向けの緊急気象情報の音声読み上げ放送サービスの実施例を示している。
【００４７】
地震又は津波が発生すると、気象庁（不図示）より放送局に向けて、公衆回線等のネットワーク経由で、緊急気象情報が伝送される。この緊急気象情報では、震度、地名等の各情報は、数値化されたコードの電文フォーマットの形で伝送される。そして、音声合成装置が、予め用意されたテンプレート文章の読み上げ合成音声と数値コードに対応した合成音声波形データベースから取り出した音声とを合成することで、読み上げ音声が自動的に合成される。そして、この読み上げ音声が、画面上に表示される速報テロップ（例えば、２行毎に）の読み上げ音声信号（時系列信号）として、データ放送送信装置１に出力される。
【００４８】
放送局側に配置されているデータ放送送信装置１は、前記したように、読み上げ音声信号を符号化して送信ファイルを順次生成し、データ放送信号として放送する。また、家庭のデジタル放送テレビ等のデータ放送受信装置２は、このデータ放送信号を受信する。そして、前記したように、データ放送送信装置１から放送されるデータ放送信号中のＢＭＬに命令を記述しておくことで、データ放送受信装置２は、テレビのスピーカを介して、自動的に読み上げ音声を再生することができる。このため、視覚障害者が緊急気象情報の速報を聞き逃す心配がない。
【００４９】
また、ＢＭＬとデータ放送受信装置２（デジタル放送テレビ）の標準内蔵のレジスタとによって、前記したサービス利用の有無をリモコン２ａの操作によって視聴者に選択させ、データ放送受信装置２（デジタル放送テレビ）に内臓のレジスタに予め設定しておいても良い。これによって、前記したサービス利用を望まない視聴者に影響を与えること無く、緊急気象情報の速報サービスを視覚障害者に提供することができる。
【００５０】
以上説明したように、本実施例によれば、デジタル放送規格をすべて満足していない送出設備でも、読み上げ合成音声をデータ放送の音声ファイルとして送り、ＢＭＬに記述された命令によって再生の制御を行うことで、視覚障害者向けの音声読み上げサービスを実現することが可能である。読み上げ音声は、データ放送の送信ファイルとして伝送されるため、放送局のハードウェア設備を改修する必要がなく、どのようなデジタル放送設備でも実施が可能である。
【００５１】
なお、緊急気象情報以外のニュース速報についても、既存のＴＥＸＴ−ＴＯ−ＳＰＥＥＣＨ技術による音声合成によって読み上げ音声を生成し、本発明に係るデータ放送送信装置１及びデータ放送受信装置２は、この読み上げ音声を緊急気象情報と同様に処理することが可能である。
【図面の簡単な説明】
【００５２】
【図１】本発明の本実施形態に係るデータ放送送信装置のブロック図である。
【図２】本発明における送信ファイルの送受信を説明する図である。
【図３】図１のデータ放送送信装置の動作を示すフローチャートである。
【図４】本実施形態に係るデータ放送受信装置のブロック図である。
【図５】図４のデータ放送受信装置の動作を示すフローチャートである。
【図６】本発明の実施例を説明する概略図である。
【符号の説明】
【００５３】
１    データ放送送信装置
１１  送信ファイル符号化手段
１２  記憶手段
１３  データ放送信号生成手段
１４  送信回数算出手段
１５  送信制御手段
２    データ放送受信装置
２１  データ放送受信手段
２２  記憶手段
２３  送信ファイル復号・再生手段
【図１】
2010141624.tif 000003
【図２】
2010141624.tif 000004
【図３】
2010141624.tif 000005
【図４】
2010141624.tif 000006
【図５】
2010141624.tif 000007
【図６】
2010141624.tif 000008